(57)【要約】【課題】洗剤タンクを簡単に取付けることができる便器装置を提供する。【解決手段】便器本体２８に着脱自在に取付けられ、便器本体２８の洗浄水に混入される洗剤を貯留する取手付き洗剤タンク１を備えた便器装置である。便器装置２の上部の中間部に洗剤タンク１が挿入される収容部６が設けられ、収容部６は、上面が開口している箱体の内部空間であることを特徴とする。【選択図】図１
2014055504.tif 000002
【特許請求の範囲】
【請求項１】
便器本体に着脱自在に取付けられ、前記便器本体の洗浄水に混入される洗剤を貯留する洗剤タンクを備えた便器装置であって、
便器装置の上部の中間部に前記洗剤タンクが挿入される収容部が設けられ、収容部は、上面が開口している箱体の内部空間であることを特徴とする便器装置。
【請求項２】
前記洗剤タンクは、上側に取手部を設けたことを特徴とする請求項１記載の便器装置。
【請求項３】
前記洗剤タンクは、洗剤流出口が形成された接続部を備え、前記収容部には、ボウル部内に水を供給する給水路に洗剤を供給するための被接続部が設けられ、前記被接続部は、前記収容部に前記洗剤タンクが収容されるとき、前記接続部が位置する部分に設けられることを特徴とする請求項１又は請求項２いずれか一項に記載の便器装置。
【発明の詳細な説明】
【技術分野】
【０００１】
本発明は、取手付き洗剤タンクを備えた便器装置に関するものである。
【背景技術】
【０００２】
従来から、洗剤タンクを備えた便器装置が知られている（例えば特許文献１参照）。
【先行技術文献】
【特許文献】
【０００３】
【特許文献１】特開２０１１−６９１２７号公報
【発明の概要】
【発明が解決しようとする課題】
【０００４】
ところで、特許文献１に記載されている便器装置は、便器装置の下部に洗剤タンクを固定するタンクホルダが設けられていた。タンクホルダは、底壁部の後端から背面壁部が立設され、底壁部及び背面壁部の左右両側（便器装置の前後両側）に縦壁状の側壁部が立設されている。洗剤タンクをタンクホルダに載置する際、掴み易い形状となっているタンク部の側面を把持し、タンクホルダの位置を確認した後、手をタンクホルダまで伸ばし洗剤タンクを載置していた。その際、洗剤タンクの便器装置への設置と、洗剤を洗剤タンクから便器装置へと送る便器装置側にある洗剤出入部と洗剤タンク側にあるタンク接続口との接続は、別々に行われており煩わしかった。
【０００５】
本発明は上記従来の問題点に鑑みて発明したものであって、その目的とするところは、簡単に取付ができる取手付き洗剤タンクを提供することを課題とするものである。
【課題を解決するための手段】
【０００６】
上記課題を解決するために、本発明は、以下のような構成とする。
【０００７】
便器本体に着脱自在に取付けられ、前記便器本体の洗浄水に混入される洗剤を貯留する洗剤タンクを備えた便器装置であって、便器装置の上部の中間部に前記洗剤タンクが挿入される収容部が設けられ、収容部は、上面が開口している箱体の内部空間であることを特徴とする。
【０００８】
また、前記洗剤タンクは、上側に取手部を設けたことが好ましい。
【０００９】
また、前記洗剤タンクは、洗剤流出口が形成された接続部を備え、前記収容部には、ボウル部内に水を供給する給水路に洗剤を供給するための被接続部が設けられ、前記被接続部は、前記収容部に前記洗剤タンクが収容されたとき、前記接続部が位置する部分に設けられることが好ましい。
【発明の効果】
【００１０】
本発明の取手付き洗剤タンクは、便器本体に簡単に取付けることができる。
【図面の簡単な説明】
【００１１】
【図１】本発明の第一実施形態の取手付き洗剤タンクの斜視図である。
【図２】本発明の第一実施形態の取手付き洗剤タンクの断面図である。
【図３】（ａ）は本発明の取手付き洗剤タンクを便器装置に取付けたときの斜視図であり、（ｂ）は本発明の取手付き洗剤タンクを便器装置に挿入する直前の斜視図である。
【図４】本発明の第二実施形態の取手付き洗剤タンクの斜視図である。
【図５】本発明の第二実施形態の取手付き洗剤タンクの断面図である。
【図６】本発明の便器装置の断面図である。
【図７】本発明の便器装置の分解斜視図である。
【図８】本発明の微細気泡発生装置の断面図である。
【発明を実施するための形態】
【００１２】
以下、本発明の第一実施形態について図１乃至図３及び図６乃至図８に基いて説明する。
【００１３】
便器装置２は、図７に示すように、ボウル部２１を備えた合成樹脂製の便器体２２と、便器体２２に内装されて便器体２２を支持・補強する金属製の支持フレーム２３と、後述する取手付き洗剤タンク１を備えている。
【００１４】
便器本体２８は、便器装置２の構成の内、ボウル部２１を備えた合成樹脂製の便器体２２と、便器体２２に内装されて便器体２２を支持・補強する金属製の支持フレーム２３と、を備えている。
【００１５】
合成樹脂製や陶器製の便器体２２はボウル部２１の内面に水垢や汚れがつきやすい。そのため、洗剤タンク２４を取り付け、汚れを洗浄している。
【００１６】
支持フレーム２３は、床に設置される下フレーム材２３ａと、下フレーム材２３ａの後部に立設された後フレーム材２３ｂを備えている。
【００１７】
後フレーム材２３ｂには便器体２２に内装される内装機器として、局部洗浄装置、脱臭装置、制御回路等を一群に収納する機器ケース２５が設けられている。なお、局部洗浄装置、脱臭装置は任意の構成であり、既存のものが適宜利用可能であって、詳細な説明は省略する。
【００１８】
便器体２２は前部を構成する前パーツ２６と後部を構成する後パーツ２７とで形成されている。
【００１９】
前パーツ２６は、平面視で後方に開口した略Ｕ字状のスカート部２６ａと、スカート部２６ａ内に配置されるボウル部２１と、ボウル部２１上に位置するリム部２６ｂとで形成される。これら、ボウル部２１、リム部２６ｂ、及びスカート部２６ａは、溶着又は接着により一体に形成されている。また、ボウル部２１、リム部２６ｂ、スカート部２６ａが支持フレーム２３に着脱自在に取付け支持されている。
【００２０】
後パーツ２７は、上カバー２７ａ、後カバー２７ｂ、便器の両側の上下に配置されるサイドカバー２７ｃで形成されている。上カバー２７ａは機器ケース２５に着脱自在に取付けられている。後カバー２７ｂは上カバー２７ａと下フレーム材２３ａに着脱自在に取付けられている。両側の上のサイドカバー２７ｃは、後カバー２７ｂと前パーツ２６に着脱自在に取付けられている。両側の下のサイドカバー２７ｃは、後カバー２７ｂと下フレーム材２３ａと上のサイドカバー２７ｃとに、着脱自在に取付けられている。
【００２１】
ボウル部２１内に水を供給する給水路３には、水道管が接続されて水道水が供給される。給水路３には、電磁弁からなる給水制御弁３１が設けられている。便器体２２に設けられた操作部を操作して給水制御弁３１を開閉することにより、ボウル部２１への給水の有無が切り替えられる。
【００２２】
給水路３の給水制御弁３１よりも下流側には供給された水に含まれる気泡を微細化する微細気泡発生装置４と、気泡を含んだ洗浄水と洗剤とを混合する混合部３２と、が設けられている。
【００２３】
微細気泡発生装置４は給水路３の一部を構成するもので、図８に示すようにベンチュリー管状の圧力急変部４１により形成されている。また、空気を給水路３内に混入する空気混入部３３は、給水路３の微細気泡発生装置４よりも上流に設けられるが、本実施形態では微細気泡発生装置４の上流端に設けられている。空気混入部３３に接続される空気供給路５は、一端を大気に開放し他端を空気混入部３３に接続する空気供給管５１と、空気の逆流を防止する逆止弁５２で形成されている。
【００２４】
圧力急変部４１は、上流側から順に、径を絞る縮径部４１ａ、絞られた径の咽喉部４１ｂ、径を広げる拡径部４１ｃが連設された構造となっている。空気混入部３３で混入した空気は、洗浄水が圧力急変部４１を流れる際に、まず、縮径部４１ａ及び咽喉部４１ｂでの内圧低下により膨張される。次に拡径部４１ｃでの内圧上昇によりせん断力により破砕され微細化される。なお、微細気泡発生装置４としては混入空気を洗浄水内に溶解させた後に析出させるタイプのものを用いることができる。
【００２５】
微細気泡を洗浄水に含有させると、節水効果、静音化、水跳ね防止、ボウル部２１の内壁に付着する汚物を剥がして吸着できる気泡洗浄効果などを付加することができる。この微細気泡を流した後に、例えば直径６０μｍの洗剤入りの泡で洗い流すことにより、より強力にボウル部２１の内壁を洗浄することができる。
【００２６】
本実施形態の便器装置２は、タンクレス方式であり、洗浄水の搬送圧として水道圧をそのまま利用したり、圧送ポンプを設けて圧送させたりすることもできる。これ以外の構造、例えば水源としてのロータンクの貯溜水を開閉弁を介して流すタンク方式のものも採用できる。
【００２７】
混合部３２は、給水路３の洗剤供給路３４の下流端が接続される部分であり、本実施形態では微細気泡発生装置４の咽喉部４１ｂとなる部分に洗剤供給路３４が接続されて、混合部３２となっている。洗剤供給路３４の上流端は、後述する取手付き洗剤タンク１の接続部１１が接続される被接続部６１となる。ポンプ３５が運転されると、取手付き洗剤タンク１内に貯留されている洗剤が、洗剤供給路３４を介して給水路３に供給される。また、ポンプ３５の停止時には、取手付き洗剤タンク１内に貯留されている洗剤が、給水路３に供給されなくなる。
【００２８】
便器装置２の後部にはボウル部２１内の溜め水を排水するトラップ装置７が内装されている。トラップ装置７はトラップケース７１と、トラップケース７１内に設けられたフレキシブルなトラップ筒７２を備えている。
【００２９】
トラップ筒７２の一端はボウル部２１の排水口７３に接続され、他端は自由端となっている。トラップ筒７２は操作部を操作して図示しないモータを駆動することで屈曲する。そして自由端側の開口を上向きとしたトラップ構造をなす状態と、自由端側の開口を下向きとし、トラップ構造を解除して排水がなされる状態とに切り替えられる。トラップケース７１は床等に設けられた外部排水路に連通している。従って、トラップ筒７２のトラップ構造を解除することで、ボウル部２１内の溜め水がトラップ筒７２とトラップケース７１を介して外部排水路に排出される。
【００３０】
便器装置２の上部の中間部には取手付き洗剤タンク１が挿入される収容部６が設けられている。本実施形態では、収容部６は、上面が開口している箱体の内部空間である。収容部６には、給水路３に洗剤を供給するための被接続部６１が設けられている。
【００３１】
図１に示す取手付き洗剤タンク１は、タンク部１２と、取手部１３と、接続部１１と、搬送路１４とを備えている。
【００３２】
タンク部１２は、本実施形態では、平面視四角形の一つの角を切欠いたＬ字状をした形状で、正面視と側面視共に略矩形状の立体となっている。なお、タンク部１２の形状は、収容部６に合うのであればどのような形状であってもよい。タンク部１２は合成樹脂製で中身が見えるように透明であることが好ましいが、特に限定されない。
【００３３】
タンク部１２の内部は貯留空間１２ａになっており、洗剤が蓄えられる。洗剤は、本実施形態では中性洗剤となっているが、特に限定されない。
【００３４】
タンク部１２の上面には洗剤補充口１２ｂが設けられている。洗剤補充口１２ｂは、洗剤を補充する際に使用され、洗剤補充口１２ｂからタンク部１２に洗剤が流し込まれる。洗剤補充口１２ｂは本実施形態では円形をしているが、形状は限定されない。洗剤補充口１２ｂにはキャップ１２ｃが着脱自在に取付けられている。
【００３５】
搬送路１４はタンク部１２内に収納された導入管１４ａと、タンク部１２外に露出する送水管１４ｂとで形成されている。導入管１４ａは、本実施形態では上下方向に略真直ぐな円筒状となっているが、形状は限定されない。送水管１４ｂは、後述する取手部１３の一部となっている。送水管１４ｂは、タンク部１２の上面から突出している突起部１２ｄと嵌合している。また、送水管１４ｂは、導入管１４ａと嵌合している。送水管１４ｂの一端は後述する接続部１１と連設されている。そして、送水管１４ｂの他端は導入管１４ａと嵌合する内嵌合部１３ａと突起部１２ｄと嵌合する外嵌合部１３ｂで形成される。内嵌合部１３ａは、外嵌合部１３ｂよりも送水管１４ｂの他端の内側に設けられ、内嵌合部１３ａの内面で導入管１４ａを嵌合し、内嵌合部１３ａの外面と外嵌合部１３ｂの内面で突起部１２ｄを嵌合する。
【００３６】
搬送路１４は、内嵌合部１３ａに導入管１４ａを挿入して嵌合することにより形成される。そして、搬送路１４の外嵌合部１３ｂに突起部１２ｄを挿入し嵌合することにより、タンク部１２に取付けられる。
【００３７】
接続部１１は、後述する取手部１３の把持部１３ｃ又は把持部１３ｃに隣接する部分から下方に突設され、内部に流路を有しその下流端となる下端部に洗剤流出口１１ａが形成されている。本実施形態では、接続部１１は円筒状で中空となっている。また本実施形態では、接続部１１の外周にＯリングといったシール部材が備えられている。
【００３８】
便器体２２に設けられた収容部６に形成される被接続部６１は、接続部１１に被嵌されて、取手付き洗剤タンク１内と洗剤供給路３４とを連通させるものである。この被接続部６１は、収容部６に取手付き洗剤タンク１が収容された時に接続部１１が位置する部分に設けられるものである。本実施形態では、内部を収容部６とする箱体の一部に孔が形成され、箱体の前記孔の周囲から外面側にスリーブが突設され、このスリーブ内が被接続部６１となっている。この被接続部６１に供給路本体となる配管やチューブの上流端が設置されている。
【００３９】
接続部１１の下部は被接続部６１に挿入される。すると、接続部１１の流路は上流側が搬送路１４と連通し、下流側が洗剤供給路３４に連通する。取手付き洗剤タンク１を便器装置２に取付ける際、接続部１１には下方向の荷重がかけられる。被接続部６１に滑らかに挿入するには、接続部１１又は被接続部６１の材質が軟らかいものの方がよい。従って、ＬＤＰＥ（低密度ポリエチレン）といった比較的軟らかい樹脂で形成される方が好ましい。
【００４０】
取手部１３は、タンク部１２から突設されタンク部１２の上側に位置する先端側部分が把持部１３ｃとなっている。本実施形態では、取手部１３は図１及び図２に示すように、外嵌合部１３ｂの付近の搬送路１４の略水平に屈曲している箇所から上方へ突設する。そして取手部１３は、上方へ突設したその先端で湾曲して把持部１３ｃが略水平に延設され、把持部１３ｃの先端から下方へ湾曲し、搬送路１４の先端の接続部１１が上方へ延長した部分へ架橋されている。すなわち、搬送路１４の送水管１４ｂの部分が、把持部１３ｃの下部に把持部１３ｃと平行して設けられている。取手部１３の形状は本実施形態では上記のようになっているが、特に限定されない。取手部１３の素材は、ＰＶＣ（塩化ビニル）やＰＳ（ポリスチレン）といった、合成樹脂製品の中でも固い材質のものが好ましい。取手付き洗剤タンク１を持ち運ぶ際、取手部１３があるので持ち運び易い。
【００４１】
以上のような構成をした取手付き洗剤タンク１が便器装置２へと取付けられている。
【００４２】
取手付き洗剤タンク１を便器装置２に取付ける際、まず取手付き洗剤タンク１と収容部６との位置合わせを行う。その後、取手付き洗剤タンク１を収容部６に挿入する。上記した構成により、位置合わせを行う際、取手付き洗剤タンク１はタンク部１２を収容部６に合わせると、接続部１１と被接続部６１も合わせることができる。また、挿入する際にかかる取手付き洗剤タンク１を便器装置２に取付ける下向きの力が、接続部１１を被接続部６１へ挿入する挿入方向と同一なので、接続部１１に力がかかり易くなっている。そのため、本実施形態の取手付き洗剤タンク１は、被接続部６１と接続部１１を強固に接続することができる。また、取手部１３が、接続部１１が上方へ延長した部分へ架橋されているため、取手付き洗剤タンク１を便器装置２に挿入する際に接続部１１に対して下向きの力が確実にかかり、被接続部６１と接続部１１を強固に接続することができる。
【００４３】
次に、第二実施形態について図４及び図５に基づいて説明する。なお、本実施形態については図１乃至図３に示す上記第一実施形態と大部分について同じであるため、同じ構成については同符号を付して説明を省略し、主に異なる部分について説明する。
【００４４】
図４及び図５に示すように、取手部１３の内部を管路が貫通し、取手部１３の管路の一端側は搬送路１４と連通接続し、取手部１３の管路の他端側は接続部１１と連通接続している。
【００４５】
これにより、搬送路１４の一部が取手部１３の管路となり、搬送路１４と取手部１３を兼用することができるので、部材のコストを下げることができる。
【符号の説明】
【００４６】
１    取手付き洗剤タンク
１１  接続部
１１ａ  洗剤流出口
１２  タンク部
１２ａ  貯留空間
１２ｂ  洗剤補充口
１２ｃ  キャップ
１２ｄ  突起部
１３  取手部
１３ａ  内嵌合部
１３ｂ  外嵌合部
１３ｃ  把持部
１４  搬送路
１４ａ  導入管
１４ｂ  送水管
２  便器装置
３  給水路
４  微細気泡発生装置
５  空気供給路
６  収容部
７  トラップ装置
【図１】
2014055504.tif 000003
【図２】
2014055504.tif 000004
【図３】
2014055504.tif 000005
【図４】
2014055504.tif 000006
【図５】
2014055504.tif 000007
【図６】
2014055504.tif 000008
【図７】
2014055504.tif 000009
【図８】
2014055504.tif 000010